【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
壁及び底を有する動物収容用ケージにおいて、
前記ケージがポリマーから構成され、かつ
各壁の厚みが約０．０１インチから約０．０８インチ（約0.0254cm-0.2032cm)である、
動物収容用ケージ。
【請求項２】
前記ケージが半剛性である、請求項１に記載の動物収容用ケージ。
【請求項３】
前記ケージが１５０グラム以下の重量である、請求項１または２に記載の動物収容用ケージ。
【請求項４】
一つまたはそれ以上の壁、底、及びカバーはインデントまたはボスを含み、壁は前記底と前記壁との結合部から延びたインデントを含み、一つ以上または全ての縁及び前記インデントまたはボスと一つまたはそれ以上の壁との結合部及びコーナーが丸みのある結合部及び丸みのあるコーナーである、請求項１−３のいずれか一項に記載の動物収容用ケージ。
【請求項５】
前記丸みのある結合部及び丸みのあるコーナーが約０．２５インチ（約0.635cm)以上の半径により形成されている、請求項４に記載の動物収容用ケージ。
【請求項６】
前記底と二つの壁との間の一つまたはそれ以上の結合部が二つまたはそれ以上のコーナーを含む、請求項１−５のいずれか一項に記載の動物収容用ケージ。
【請求項７】
前記ポリマーが、ポリプロピレン、高密度ポリエチレン、低密度ポリエチレン、ポリエチレンテレフタレート、ポリ塩化ビニル、耐衝撃性ポリスチレン、ポリスチレンフルオロエチレン、アクリルニトリルブタジエンスチレン共重合体から成るグループから選択されている、請求項１−６のいずれか一項に記載の動物収容用ケージ。
【請求項８】
対向する壁の少なくとも１組が前記ケージの底に向かって内方へ先細りになっている、請求項１−７のいずれか一項に記載の動物収容用ケージ。
【請求項９】
前記ケージが、約０．０１インチから約０．０８インチ（約0.0254cm-0.2032cm) の厚みを有するポリマーから構成されるカバーと封止結合されている、請求項１−８のいずれか一項に記載の動物収容用ケージ。
【請求項１０】
前記カバーは半剛性である、請求項４−９のいずれか一項に記載の動物収容用ケージ。
【請求項１１】
前記カバーが１００グラム以下の重量である、請求項４−１０のいずれか一項に記載の動物収容用ケージ。
【請求項１２】
前記動物収容用ケージが換気されている、請求項１−１１のいずれか一項に記載の動物収容用ケージ。
【請求項１３】
前記ケージが正の空気圧によって換気される、請求項１２に記載の動物収容用ケージ。
【請求項１４】
前記ケージが負の空気圧によって換気される、請求項１２に記載の動物収容用ケージ。
【請求項１５】
前記ケージが正の空気圧及び負の空気圧によって換気される、請求項１２に記載の動物収容用ケージ。
【請求項１６】
前記ケージが前記カバーを通じて換気される、請求項１２−１５のいずれか一項に記載の動物収容用ケージ。
【請求項１７】
壁、底及びカバーを含む動物収容用ケージにおいて、
前記壁、底及びカバーがポリマーから構成され、かつ
各壁の厚みが約０．０１インチから約０．０８インチ（約0.0254cm-0.2032cm)である、
動物収容用ケージ。
【請求項１８】
前記カバーの厚みが約０．０１インチから約０．０８インチ（約0.0254cm-0.2032cm)である、請求項１７に記載の動物収容用ケージ。
【請求項１９】
前記カバーが一つまたはそれ以上の給気コネクタを含む、請求項１７に記載の動物収容用ケージ。
【請求項２０】
前記カバーが一つまたはそれ以上の排気コネクタを含む、請求項１７に記載の動物収容用ケージ。
【請求項２１】
前記コネクタが前記カバーの外面に対して凸状である、請求項１９または２０に記載の動物収容用ケージ。
【請求項２２】
一つまたはそれ以上のコネクタの側壁が円錐形である、請求項１９−２１のいずれか一項に記載の動物収容用ケージ。
【請求項２３】
吸気孔及び排気孔を含む、動物収容用ケージカバー。
【請求項２４】
前記吸気孔が前記カバーの実質的に一端に設置され、前記排気孔が実質的に他端に設置されている、請求項２３に記載の動物収容用ケージカバー。
【請求項２５】
前記吸気孔が給気コネクタの中にある、請求項２３または２４に記載の動物収容用ケージカバー。
【請求項２６】
前記排気孔が前記排気孔を含む排気コネクタの中にある、請求項２３−２５のいずれか一項に記載の動物収容用ケージカバー。
【請求項２７】
前記給気コネクタ及び／または排気コネクタが前記カバーの外面に対して凸状である、請求項２５または２６に記載の動物収容用ケージカバー。
【請求項２８】
前記給気コネクタ及び／または排気コネクタが円錐形である、請求項２５−２７のいずれか一項に記載の動物収容用ケージカバー。
【請求項２９】
前記動物収容用ケージカバーが排気コネクタ及び／または吸気コネクタと連結されるチャンネルを含む、請求項２５−２８のいずれか一項に記載の動物収容用ケージカバー。
【請求項３０】
前記チャンネルの長手が正弦波形である、請求項２９に記載の動物収容用ケージカバー。
【請求項３１】
前記吸気コネクタ及びこれに連結されるチャンネルが実質的に前記カバーの一端に配置され、前記排気コネクタ及びこれに連結されるチャンネルが実質的に他端に配置されている、請求項２９に記載の動物収容用ケージカバー。
【請求項３２】
前記動物収容用ケージカバーが一つまたはそれ以上のフィルタを含む、請求項２９−３１のいずれか一項に記載の動物収容用ケージカバー。
【請求項３３】
前記フィルタが前記カバーのボス面と、前記カバーの下側に連結するフィルタシールドとの間にある、請求項３２に記載の動物収容用ケージカバー。
【請求項３４】
前記シールドが前記カバーのボス面の下に位置しかつ選択的にこれと整合するボス面を含む、請求項３３に記載の動物収容用ケージカバー。
【請求項３５】
前記シールドが一つまたはそれ以上の孔を含む、請求項３３または３４に記載の動物収容用ケージカバー。
【請求項３６】
前記カバー及び前記シールドの孔の最大直径が約０．２イン（0.508cm）チである、請求項３３−３５のいずれか一項に記載の動物収容用ケージカバー。
【請求項３７】
前記動物収容用ケージカバーが壁及び底を含むケージベースに連結されている、請求項２３−３６のいずれか一項に記載の動物収容用ケージカバー。
【請求項３８】
空気が前記カバーの一つの場所から前記ケージの中へ流れ、バッフルの下を流れ、前記カバーの別の場所を通って排出される、請求項３７に記載の動物収容用ケージカバー。
【請求項３９】
前記カバーが前記ベースに封止状態で取り付けられている、請求項３７に記載の動物収容用ケージカバー。
【請求項４０】
前記カバーが前記ベースに可逆的に取り付けられている、請求項３７−３９のいずれか一項に記載の動物収容用ケージカバー。
【請求項４１】
前記カバーと前記ベースが締まり嵌めによって取り付けられている、請求項３７−４０のいずれか一項に記載の動物収容用ケージカバー。
【請求項４２】
前記締まり嵌めが摩擦嵌めまたはスナップ嵌めである、請求項４１に記載の動物収容用ケージカバー。
【請求項４３】
前記締まり嵌めが前記カバーを取り囲むフランジと前記ベースの上縁を取り囲む別のフランジとの間にある、請求項４１または４２に記載の動物収容用ケージカバー。
【請求項４４】
前記動物収容用ケージカバーがさらに給水器を含むまたは給水器に連結されている、請求項２３−４３のいずれか一項に記載の動物収容用ケージカバー。
【請求項４５】
前記給水器が孔を含む、請求項４４に記載の動物収容用ケージカバー。
【請求項４６】
前記給水器に連結されるキャップ内に孔が設けられ、かつ前記キャップが前記孔を覆う取り外し可能なバリアを含む、請求項４５に記載の動物収容用ケージカバー。
【請求項４７】
前記給水器が給水ボトルである、請求項４４−４６のいずれか一項に記載の動物収容用ケージカバー。
【請求項４８】
前記給水ボトルが前記カバー内の容器に据え付けられている、請求項４７に記載の動物収容用ケージカバー。
【請求項４９】
前記動物収容用ケージが動物を含む、請求項１−２２のいずれか一項に記載の動物収容用ケージ。
【請求項５０】
前記動物がげっ歯類である、請求項４９に記載の動物収容用ケージ。
【請求項５１】
前記げっ歯類が、マウス、ラット、ハムスター、アレチネズミ、テンジクネズミ、チンチラ及びラビットから成るグループから選択されている、請求項５０に記載の動物収容用ケージ。
【請求項５２】
前記ケージが使い捨てケージである、請求項１−２２及び４９−５１のいずれか一項に記載の動物収容用ケージ。
【請求項５３】
ラックに結合されている、請求項１−２２及び４９−５２のいずれか一項に記載の動物収容用ケージ。
【請求項５４】
空気流ユニットに結合されている、請求項１−２２及び４９−５２のいずれか一項に記載の動物収容用ケージ。
【請求項５５】
空気流コントローラに結合されている、請求項１−２２及び４９−５２のいずれか一項に記載の動物収容用ケージ。
【請求項５６】
二つまたはそれ以上のラックモジュールを含む動物収容用ラックにおいて、各ラックモジュールが、棚、管、前記管の一端の送風機コネクタ及び棚の各々で送風機から空気を送る前記管に連結された導管を含む、動物収容用ラック。
【請求項５７】
二つまたはそれ以上のラックモジュールを含む動物収容用ラックにおいて、各ラックモジュールが空気計量ノズル、管、前記管の一端の送風機コネクタ及び送風機から前記計量ノズルの各々へ空気を送る前記管に連結されていた導管を含む、動物収容用ラック。
【請求項５８】
運搬器（ｔｒａｍ）を含む、請求項５６または５７に記載の動物収容用ラック。
【請求項５９】
管、前記管の一端の送風機コネクタ、前記送風機から計量ノズルへ空気を送る前記管に連結される導管を含む動物収容用ラックであって、前記計量ノズルにおける空気圧が約０．３水柱インチ（約0.762cm)で以上である、動物収容用ラック。
【請求項６０】
前記空気圧が約１水柱インチから約３水柱インチ（2.54cm-7.62cm)である、請求項５９に記載の動物収容用ラック。
【請求項６１】
各計量ノズルで供給される空気の圧力が調節自在バルブによって調節されない、請求項５９または６０に記載の動物収容用ラック。
【請求項６２】
前記計量ノズルの口径が約０．２５インチ(0.635cm)未満である、請求項５９−６１のいずれか一項に記載の動物収容用ラック。
【請求項６３】
前記動物収容用ラックが空気流または空気圧センサを含む、請求項５９−６２のいずれか一項に記載の動物収容用ラック。
【請求項６４】
前記センサが管に連結されている、請求項６３に記載の動物収容用ラック。
【請求項６５】
前記センサが導管に連結されている、請求項６３に記載の動物収容用ラック。
【請求項６６】
前記センサが計量ノズルに連結されている、請求項６３に記載の動物収容用ラック。
【請求項６７】
前記動物収容用ラックが、各々計量ノズルの近傍に一つまたはそれ以上の棚を含む、請求項６３−６６のいずれか一項に記載の動物収容用ラック。
【請求項６８】
複数の棚、管、前記管の一端の送風機コネクタ、及び前記棚の各々で送風機から空気を送る前記管に連結された導管を含む動物収容用ラックであって、
前記棚の各々がキャリッジ及び動物収容ケージの対応するコネクタと係合することができる前記キャリッジに結合された給気コネクタを含み、かつ
前記給気コネクタが前記導管のうちの一つに結合されている、
動物収容用ラック。
【請求項６９】
前記動物収容用ラックが動物収容用ケージの対応するコネクタと係合することができるキャリッジに結合された排気コネクタを含む、請求項６８に記載の動物収容用ラック。
【請求項７０】
前記キャリッジがレバーである、請求項６８または６９に記載の動物収容用ラック。
【請求項７１】
前記動物収容用ラックがさらに前記棚上に一つまたはそれ以上の動物収容用ケージを含む、請求項５６−７０のいずれか一項に記載の動物収容用ラック。
【請求項７２】
前記動物収容用ラックが給気送風機及び排気送風機を含む、請求項５６または５７に記載の動物収容用ラック。
【請求項７３】
複数の棚、管、前記管の一端で連結される給気送風機、前記棚の各々で前記送風機から空気を送る前記管に連結される導管及び空気流または空気圧センサを含む動物収容用ラックであって、コントローラが設定値及び前記センサからの信号に基づいて前記給気送風機から送られる空気を調整する、動物収容用ラック。
【請求項７４】
前記給気送風機が連続的に配置された二つまたはそれ以上のファンを含み、前記コントローラが前記ファンのうち一つまたはそれ以上の速度を調整する、請求項７３に記載の動物収容用ラック。
【請求項７５】
二つまたはそれ以上のファン、各ファンを駆動するファンモーター、各ファンモーターと連結されるファン速度コントローラ及び前記ファン速度コントローラと連結される一つまたはそれ以上の空気圧または空気流センサを含む、動物収容システム送風機組立体。
【請求項７６】
前記コントローラが、空気圧または空気流に対応する一つまたはそれ以上の前記センサからの一つまたはそれ以上の信号に基づいて、一つまたはそれ以上のファンの速度を加減して、前記空気圧を設定レベルにかつ／または前記空気流を設定レベルに調整する、請求項７５に記載の動物収容システム送風機組立体。
【請求項７７】
前記ファンが連続状態で設置されている、請求項７５または７６に記載の動物収容システム送風機組立体。
【請求項７８】
動物収容用ケージの中の空気圧または空気流を設定レベルに調整するための方法であって、
前記動物収容用ケージまたはこれに連結される空気導管の中の空気圧または空気流を検出する工程と、
前記空気圧または空気流が前記設定レベルに達するまで、二つまたはそれ以上のファン及び各ファンを別個に駆動するファンモーターを含む送風機組立体の一つまたはそれ以上のファンモーターの速度を加減する工程と、
を含む、方法。
【請求項７９】
二つまたはそれ以上の前記ファンが直列である、請求項７８に記載の方法。
【請求項８０】
ユーザーインターフェイス及びプロセッサを含む動物収容システムにおける空気流または空気圧を調整するコントローラであって、
前記ユーザーインターフェイスが空気圧及び／または空気流設定値入力機能を含み、
前記プロセッサが、前記設定値及び前記動物収容システムの一つまたはそれ以上のセンサからの空気流または空気圧信号に基づいて一つまたはそれ以上の送風機のためにファン速度信号を発生する、コントローラ。
【請求項８１】
動物収容システムにおいてケージを交換する方法であって、（ａ）一つまたはそれ以上のケージを含む動物収容システムから動物を収容するケージを取り外す工程と、（ｂ）未使用の使い捨てケージへ動物を移す工程と、（ｃ）工程（ｂ）の使い捨てケージを前記収容システムに配置する工程と、（ｄ）３０日以内に工程（ａ）−（ｃ）を反復する工程と、を含む方法。
【請求項８２】
前記収容システムが畜産用収容システムである、請求項８１に記載の方法。
【請求項８３】
工程（ａ）から（ｃ）を１４日以内に反復する、請求項８１または８２に記載の方法。
【請求項８４】
工程（ｂ）の以前に動物が未使用の使い捨てケージユニットに入れられていない、請求項８１−８３のいずれか一項に記載の方法。
【請求項８５】
工程（ａ）から（ｃ）が動物の死亡まで連続的に反復される、請求項８１−８４のいずれか一項に記載の方法。
【請求項８６】
工程（ａ）において取り外される前記ケージが使い捨てケージである、請求項８１−８５のいずれか一項に記載の方法。
【請求項８７】
工程（ａ）において取り外される前記ケージが処分される、請求項８１−８６のいずれか一項に記載の方法。
【請求項８８】
前記使い捨てケージの壁がポリマーから構成され、約０．０１インチから約０．０８インチ(0.0254cm-0.2032cm)の厚みである、請求項８１−８７のいずれか一項に記載の方法。